(57)【特許請求の範囲】
【請求項１】
裏面を下に向けてセメント板を長辺側の縦の枠材と短辺側の横の枠材を接合した周囲枠を有する枠組に重ねて配してなる床パネルの構造であって、前記セメント板の前記裏面の側縁に形成された下の切欠き状部に木質の隔て材を装着し、この隔て材を介してセメント板を枠組に固定し、前記下の切り欠き状部の巾は前記縦の枠材の巾よりも広巾であって、１．０倍よりも大かつ１．５倍程度以下であり、その高さを、前記セメント板の板厚の１／４〜２／５程度としたことを特徴とする床パネルの構造。
【請求項２】
前記セメント板は、裏面に、連続する複数条の溝状部が前記側縁を含んで間隙を隔てて並設されるとともに、前記下の切欠き状部は前記側縁に位置する溝状部により形成されることを特徴とする請求項１記載の床パネルの構造。
【請求項３】
前記セメント板は、熱伝導率κ（Ｗ／ｍＫ）が０．３以下に設定されることを特徴とする請求項１又は２記載の床パネルの構造。
【発明の詳細な説明】
【０００１】
【発明の属する技術分野】
本発明は、強固にかつ熱橋を防止しつつセメント板を枠組に取り付けた床パネルの構造に関する。
【０００２】
【従来の技術】
壁、床、屋根等をパネルを用いて構成するパネル工法の家屋等の建築物においては、枠組にセメント板を載置して一体化したパネルが、耐振動性、耐騒音性、耐久性などのために床パネルとして多用されている。このような床パネルにおいては、従来、前記枠組の上面に直接、セメント板の平坦な裏面を載置させてビス、釘等の固着具乃至接着剤で固定している。
【０００３】
しかしながら、セメント板と枠組とは、特に枠組が金属製であるときにはその間の摩擦係数が小であって滑りが生じやすく、又固着具を用いるとき特にセメント板が厚いときには固着具の長さが大となって強固な取付けが困難となり、その結果取付けにゆるみが生じて剪断ずれが生起する。また取付けのゆるみはセメント板によるストレススキン性を損ない床全体の剛性を低下して床の耐振動性、耐騒音性、耐久性などが低下する。
【０００４】
さらに枠組が前記のように金属製の枠材を接合してなる場合には、床パネルが特に、床下冷気により冷却されやすい１階の床パネルである場合には、セメント板が枠組と熱橋しセメント板には枠組と面接触する部分の上面に結露など発生しやすい。なお結露防止のためにはセメント板による断熱性を高めるべくその厚さを増すなどのことは重量を増し、作業性を損なうとともにコストアップともなる。
【０００５】
【発明が解決しようとする課題】
本発明は、枠組とセメント板との間に木質の隔て材を介在させることにより、前記課題を解決しうる床パネルの構造の提供を目的としている。
【０００６】
【課題を解決するための手段】
本発明において請求項１の発明は、裏面を下に向けてセメント板を長辺側の縦の枠材と短辺側の横の枠材を接合した周囲枠を有する枠組に重ねて配してなる床パネルの構造であって、前記セメント板の前記裏面の側縁に形成された下の切欠き状部に木質の隔て材を装着し、この隔て材を介してセメント板を枠組に固定し、前記下の切り欠き状部の巾は前記縦の枠材の巾よりも広巾であって、１．０倍よりも大かつ１．５倍程度以下であり、その高さを、前記セメント板の板厚の１／４〜２／５程度としたことを特徴とする床パネルの構造である。
【０００７】
又請求項２の発明は、前記セメント板は、裏面に、連続する複数条の溝状部が前記側縁を含んで間隙を隔てて並設されるとともに、前記下の切欠き状部は前記側縁に位置する溝状部からなる床パネルの構造であることを特徴としている。
【０００８】
さらに請求項３の発明は、前記セメント板は、熱伝導率κ（Ｗ／ｍＫ）が０．３以下に設定されることを特徴としている。
【０００９】
【発明の実施の形態】
以下本発明の実施の態様を図面に基づき説明する。
図１は、本発明にかかる例えば２枚の床パネルＦ１、Ｆ２（総称とするとき床パネルＦという）が基礎固定金具Ａ…を用いて布基礎Ｂに隣り合って配置されている場合を示し、１階床を構成している。
【００１０】
床パネルＦは図１〜図３に示すごとく、枠組２とセメント板３とからなり、セメント板３の裏面の側縁に形成された下の切欠き状部４に装着される隔て材６を介してこのセメント板３を枠組２に固定している。
【００１１】
枠組２は、図１に一点鎖線で示しかつ図２にも示すごとく、例えば長辺側の縦の枠材１１Ａ、１１Ｂと短辺側の横の枠材１１Ｃ、１１Ｄを溝部を内向きに短形に接合した溝形材からなる周囲枠に、前記横の枠材１１Ｃ、１１Ｄと平行に複数本の中桟１１Ｅ…を縦の枠材１１Ａ，１１Ｂ間に架け渡している。中桟１１Ｅは、本例では中央に、ウエブを背中合わせとした広巾の中桟１１ＥＣを含んでいる。なお枠組２の形状、寸法の他、枠材、中桟の配置等は基礎、大引（図示せず）等の配置によって自在に選択できる。
【００１２】
さらに本例では、枠組２には、縦の枠材１１Ａ、１１Ｂの下フランジ上面、横の枠材１１Ｃ、１１Ｄと中桟１１Ｅとの下フランジの上面間などに架け渡した下地材１２…上の受板１３によって、枠組２の上面と略高さを揃えて断熱材１４を収容している。なお断熱材１４は、枠組２の高さの１／３〜２／３程度の厚さに設定される。
【００１３】
なお断熱材１４としては、ガラスウール、ロックウールの他、ポリスチレンフォームなどの各種の発泡材をも採用できる。
【００１４】
セメント板３は、図２、図３に示すように、前記枠組２の上面に向き合い載置されるその裏面に、間隔を隔ててかつ側縁を含んで長手方向に連続する複数条の溝状部７・・・が並設される。従って、溝状部７は、側縁を通る外の溝状部７Ａと、その間の内の溝状部７Ｂとを含む。また外の溝状部７Ａの奥側面７Ａ１とその上面７Ａ２とがＬ字をなすとともにこの外の溝状部７Ａが下方側方が開放され前記隔て材６を装着しうる下の切欠き状部４を構成している。
【００１５】
なお下の切欠き状部６、即ち溝状部７Ａは、前記奥側面７Ａ１が隔て材６の一方の側面に当接するとき隔て材６の他方の側面がセメント板３の側面と整一する巾に設定される。また隔て材６の前記上面７Ａ２に隔て材６の上面が当接するとき、隔て材６の下面はセメント板３裏面と一致するかやや裏面よりも下方に突出する程度の高さとされる。
【００１６】
さらに、この溝状部７Ａの巾は、この溝状部７Ａに装着される前記隔て材６が前記縦の枠材１１Ａ、１１Ｂと同幅以上の巾でこの枠材１１Ａ，１１Ｂとの間に介在しセメント板３への熱橋を効果的に防ぐために、枠材１１Ａ、１１Ｂの巾Ｗ１よりも広巾であって、１．０倍よりも大かつ１．５倍程度以下、好ましくは１．０〜１．２程度とする。
【００１７】
前記セメント板３には、床パネルＦが隣り合って配置されるときにおいて、表面の少なくとも隣合う側の側縁には、この側縁を切り欠き、上の切欠き状部８が形成される。なお上の切欠き状部８は、奥側面８Ａ１、下面８Ａ２を有するＬ字状に形成される。
【００１８】
このようなセメント板３として、いわゆるコンクリート板、多孔質の軽量セメント板、各種の補強材を混入した強化セメント板など種々なセメント板材を採用しうるが、好ましくは耐振動、耐騒音性のためには比較的重質のものを採用する。さらにセメント板３として、本例では押出し成形可能な素材からなる押出しセメント板が用いられ、前記溝状部７及び上の切欠き状部８は押出し成形における押出しによって成形される。
【００１９】
さらにセメント板３は、熱橋防止のために、熱伝導率κ（Ｗ／ｍＫ）が０．３以下に設定する。通常のコンクリート板が１．０程度であるため、断熱材、気泡の混在などによって低下させる。
【００２０】
またセメント板３の板厚Ｔを約２０〜４０mm程度、好ましくは３０mm以上程度とする。さちに、溝状部７及び上の切欠き状部８の高さを、前記板厚Ｔの１／４〜２／５程度、好ましくは約１／３程度としている。なお溝状部７の巾は１０〜５０mm程度で自在に設定でき、また下の切欠き状部４は他の溝状部７と同程度がより小の１０〜４０程度とすることもできる。さらに上の切欠き状部８の巾は１０〜３０mm程度であって、下の切欠き状部４よりも巾狭とする。
【００２１】
前記隔て材６は熱伝導性が小な木質材からなり、予め、隔て材６はセメント板３の前記下の切欠き状部４に前記奥側面７Ａ１，７Ａ２を当接させて接着しておく。これにより生産性を高めるとともに、隔て材６とセメント板３とを全面に亘って強固に接合しておき、前記奥側面７Ａ１との当接と相まって両者の間の剪断ずれを防止する。さらに隔て材６が側縁に位置することにより、セメント板３の欠けを予防する欠け防止材としても機能できる。
【００２２】
かかるセメント板３の前記隔て材６を、枠組２の前記縦の枠材１１Ａ，１１Ｂ上に位置させてセメント板３を枠組２に固定する。ビス、釘等の固着具、又は接着剤、さらにはそれらを併用して剪断ずれが生じないように強固に固定する。なお枠組２はセメント板３と、摩擦係数の比較的大きい木質の隔て材６を介在させているため、位置ずれが抑制され、安定した取付けを可能とする。その結果、セメント板３はストレススキン材として作用できることとなり、かつ耐振動性、耐騒音性、耐久性を高める。
【００２３】
また隔て材６が枠組２とセメント板３と間に介在することにより熱橋を減じて結露などを低減する。さらに横の枠材１１Ｃ、１１Ｄとの間には前記溝状部７Ｂ・・・が適宜間隔で存在することにより、この溝状部７Ｂが枠組２からのセメント板３への熱伝導を減じ、結露などを抑制でき、しかも隔て材６がセメント板３の下の切欠き状部４に嵌入しているため、パネルの総厚さを増加させることもない。
【００２４】
このような構造の床パネルＦは、図１，図３に略示するように、布基礎Ｂに例えば前記基礎固定金具Ａを用いて取り付けられ、本例においては、図２に示す如く、２枚の床パネルＦ１，Ｆ２間に間隙Ｇを隔てて隣り合って並置されている。また並置されることにより向き合うこととなる前記上の切欠き状部８，８間にはこの上の切欠き状部８，８を跨がって目板９を嵌入している。
【００２５】
この目板９は、混入補強材を加減することにより前記セメント板３よりも曲げ強度よりもその強度が大きいセメント材からなり、間隙Ｇにおける強度低下を防止している。また目板９はその上面をセメント板３の上面と整一させるとともに、上の切欠き状部８に嵌入しているため、厚さの増加を抑制する。
【００２６】
また目板９の取付けには接着材等を用いるとともに、目板９の裏面には、前記間隙Ｇ略同幅であってその間を封止する高さが床パネルＦの１／４〜２／３程度、好ましくは半分程度の中間断熱材１０を挿入し、床での断熱性を向上している。
【００２７】
なお本発明の床パネルの構造、及びその接合構造において、図２に一点鎖線で示すように、セメント板３の表面両側縁に上の切欠き状部８を設けることもできる。また図４に示すように、１つの枠組２に２枚のセメント板３，３を配置することもできる。そのとき、隣合うセメント板３，３は図５に示すように、下の切欠き状部４に嵌入される前記隔て材６のみを用いる。そのとき枠組２には横の枠材１１Ｃ、１１Ｄ間に中央の桟材１１Ｆを配することもできる。またかかる場合も、図４に示すごとく、床パネルの表面の１つの側縁にのみ上の切欠き状部８を形成することも、両方の側縁に切欠き状部８を形成するなど、本発明は種々変形しうる。
【００２８】
【発明の効果】
請求項１の床パネルの構造は、前記のような構成を具え、セメント板は枠組に隔て材を介して重ねて配置されているため、枠組とセメント板との間の熱橋を防ぐとともに、隔て材は下の切欠き状部に嵌入されていることにより床パネルの厚さの増加を抑制し収まりのよい床パネルを構成できる。さらに隔て材を介在するため、セメント板と金属製の枠組が直接接触する場合に比してその間の摩擦係数を増してセメント板が比較的厚いときにも強固な安定した取付けが可能となる結果、ゆるみを減じて剪断ずれの発生を抑制でき、ストレススキン性を高めて床全体の剛性を維持させ床の耐振動性、耐騒音性、耐久性などを向上する。
【００２９】
また請求項２の発明においては裏面に形成した溝状部を切欠き状部として用いるため、この溝状部をセメント板の押出し成形時において成形することにより生産性を高めるとともに、ときに市販のものを利用することも可能となる。
【００３０】
さらに請求項３の発明では、前記セメント板は、熱伝導率κ（Ｗ／ｍＫ）が０．３以下に設定されるため、熱橋を防止できる。
【図面の簡単な説明】
【図１】本発明の１つの実施の態様を例示する平面図である。
【図２】本発明の床パネルの構造の好ましい実施の態様を例示する斜視図である。
【図３】好ましい実施の態様を例示する断面図である。
【図４】他の床パネルの構造を例示する平面図である。
【図５】他の床パネルの構造を例示する断面図である。
【符号の説明】
２    枠組
３    セメント板
４    下の切欠き状部
６    隔て材
７    溝状部
８    上の切欠き状部
９    目板
【図１】
0003694170.tif 000002
【図２】
0003694170.tif 000003
【図３】
0003694170.tif 000004
【図４】
0003694170.tif 000005
【図５】
0003694170.tif 000006